【手続補正書】
【提出日】平成18年8月28日(2006.8.28)
【手続補正１】
【補正対象書類名】明細書
【補正対象項目名】発明の名称
【補正方法】変更
【補正の内容】
【発明の名称】情報処理装置及び方法、並びに記録装置
【手続補正２】
【補正対象書類名】明細書
【補正対象項目名】特許請求の範囲
【補正方法】変更
【補正の内容】
【特許請求の範囲】
【請求項１】  トランスポートストリームを取得し、デコードする情報処理装置において、
記録再生装置と互いにトランスポートストリーム及びコマンドをやり取りするためのインターフェース手段と、
取得するトランスポートストリームの伝送レートに対応する情報を判断する手段と、
上記伝送レートに対応する情報に基づいて、上記記録再生装置に対して記録レートの設定コマンドを発生する手段と
を備える情報処理装置。
【請求項２】  上記記録レートの設定コマンドを発生する手段は、上記インターフェース手段を介して上記記録再生装置が接続されたときに、上記記録レートの設定コマンドを発生するようにした請求項１に記載の情報処理装置。
【請求項３】  上記記録レートの設定コマンドを発生する手段は、上記記録再生装置に上記トランスポートストリームを伝送する直前に、上記記録レートの設定コマンドを発生するようにした請求項１に記載の情報処理装置。
【請求項４】  上記記録レートの設定コマンドを発生する手段は、受信チャンネルが切り換えられるときに、上記記録レートの設定コマンドを発生するようにした請求項１に記載の情報処理装置。
【請求項５】  上記記録レートの設定コマンドを発生する手段は、放送番組が変化するときに、上記記録レートの設定コマンドを発生するようにした請求項１に記載の情報処理装置。
【請求項６】  上記記録レートの設定コマンドを発生する手段は、所定周期毎に、上記記録レートの設定コマンドを発生するようにした請求項１に記載の情報処理装置。
【請求項７】  上記記録レートの設定コマンドを発生する手段は、要求コマンドを受け取ったら、上記記録レートの設定コマンドを発生するようにした請求項１に記載の情報処理装置。
【請求項８】  上記取得するトランスポートストリームの伝送レートに対応する情報は、高品位テレビジョン放送か標準テレビジョン放送かを示す情報である請求項１に記載の情報処理装置。
【請求項９】  上記記録レートの設定コマンドを発生する手段は、上記記録再生装置において記録が開始される前に、上記記録レートの設定コマンドを発生するようにした請求項１に記載の情報処理装置。
【請求項１０】  上記記録レートの設定コマンドを発生する手段は、上記記録再生装置において記録を行っている最中に上記トランスポートストリームの伝送レートが変わったとき、上記記録を一時停止させ、新しく上記記録レートの設定コマンドを発生するようにした請求項１に記載の情報処理装置。
【請求項１１】  上記記録再生装置において、上記発生された記録レート設定コマンドに応じた記録レートに設定できない場合は、警告を表示させるようにした請求項１に記載の情報処理装置。
【請求項１２】  情報処理装置と互いにトランスポートストリーム及びコマンドをやり取りするためのインターフェース手段と、
上記情報処理装置から上記インターフェース手段を介して送られてきたトランスポートストリームを記録する記録手段と、
上記情報処理装置から送られてきた記録レートの設定コマンドに応じて、上記記録手段の記録レートを設定する記録レート設定手段と
を備えるようにした記録装置。
【請求項１３】  上記記録手段で記録を開始する直前に、上記情報処理装置に対して、記録レート設定の要求コマンドを発生する手段を更に備える請求項１２に記載の記録装置。
【請求項１４】  トランスポートストリームを取得し、デコードする情報処理装置と、
上記情報処理装置からのトランスポートストリームを記録する記録再生装置とをインターフェース手段を介して接続し、
上記情報処理装置は、取得するトランスポートストリームの伝送レートに対応する情報を判断し、
上記伝送レートに対応する情報に基づいて、上記記録再生装置に対して記録レートの設定コマンドを発生する
ようにした情報処理方法。
【請求項１５】  上記インターフェース手段を介して上記記録再生装置が接続されたときに、上記記録レートの設定コマンドを発生するようにした請求項１４に記載の情報処理方法。
【請求項１６】  上記記録再生装置に上記トランスポートストリームを伝送する直前に、上記記録レートの設定コマンドを発生するようにした請求項１４に記載の情報処理方法。
【請求項１７】  受信チャンネルが切り換えられるときに、上記記録レートの設定コマンドを発生するようにした請求項１４に記載の情報処理方法。
【請求項１８】  番組が変化するときに、上記記録レートの設定コマンドを発生するようにした請求項１４に記載の情報処理方法。
【請求項１９】  所定周期毎に、上記記録レートの設定コマンドを発生するようにした請求項１４に記載の情報処理方法。
【請求項２０】  上記記録手段は、記録を開始する直前に、上記情報処理装置に対して、記録レート設定の要求コマンドを発生し、
上記情報処理装置は、上記要求コマンドを上記記録再生装置から受け取ったら、上記記録レートの設定コマンドを発生するようにした請求項１４に記載の情報処理方法。
【手続補正３】
【補正対象書類名】明細書
【補正対象項目名】０００１
【補正方法】変更
【補正の内容】
【０００１】
【発明の属する技術分野】
この発明は、例えば、映像データ及びオーディオデータがＭＰＥＧ（Moving Picture Experts Group）２方式のトランスポートストリームで放送される信号を受信し、このトランスポートストリームをディジタルビデオテープのような記録媒体に記録／再生するようなディジタル衛星放送システムに用いて好適な情報処理装置及び方法、並びに記録装置に関する。
【手続補正４】
【補正対象書類名】明細書
【補正対象項目名】００１７
【補正方法】変更
【補正の内容】
【００１７】
したがって、この発明の目的は、受信装置からのストリームを記録／再生装置に記録させる場合に、記録／再生装置で記録が開始される前に、必ず、ストリームの伝送レートに応じた最適な記録モードに設定できるようにした情報処理装置及び方法、並びに記録装置を提供することにある。
【手続補正５】
【補正対象書類名】明細書
【補正対象項目名】００１８
【補正方法】変更
【補正の内容】
【００１８】
【課題を解決するための手段】
この発明は、トランスポートストリームを取得し、デコードする情報処理装置において、
記録再生装置と互いにトランスポートストリーム及びコマンドをやり取りするためのインターフェース手段と、
取得するトランスポートストリームの伝送レートに対応する情報を判断する手段と、
伝送レートに対応する情報に基づいて、記録再生装置に対して記録レートの設定コマンドを発生する手段と
を備える情報処理装置である。
【手続補正６】
【補正対象書類名】明細書
【補正対象項目名】００１９
【補正方法】変更
【補正の内容】
【００１９】
この発明は、情報処理装置と互いにトランスポートストリーム及びコマンドをやり取りするためのインターフェース手段と、
情報処理装置からインターフェース手段を介して送られてきたトランスポートストリームを記録する記録手段と、
情報処理装置から送られてきた記録レートの設定コマンドに応じて、記録手段の記録レートを設定する記録レート設定手段と
を備えるようにした記録装置である。
【手続補正７】
【補正対象書類名】明細書
【補正対象項目名】００２０
【補正方法】変更
【補正の内容】
【００２０】
この発明は、トランスポートストリームを取得し、デコードする情報処理装置と、
情報処理装置からのトランスポートストリームを記録する記録再生装置とをインターフェース手段を介して接続し、
情報処理装置は、取得するトランスポートストリームの伝送レートに対応する情報を判断し、
伝送レートに対応する情報に基づいて、記録再生装置に対して記録レートの設定コマンドを発生する
ようにした情報処理方法である。